(57)【要約】【課題】新しく植え付ける樹木に対してだけでなく、既に植えてから何年も経って大きく成長しているような樹木に対しても、樹木の根の周囲に埋設して薬液の供給を行えるようにした樹木の薬液供給装置を提供することである。【解決手段】樹木の根の周囲に埋設される環状パイプ１２と、この環状パイプ１２に一端が連結され、他端が地上に露出する供給管１３とを備え、前記環状パイプ１２は少なくとも一個所が開閉可能になっていると共に、環状パイプ１２の周方向に複数の吐出孔１６ａ，１６ｂが設けられている。【選択図】      図１
2005021088.tif 000002
【特許請求の範囲】
【請求項１】
樹木の根の周囲に埋設される環状パイプと、
この環状パイプに一端が連結され、他端が地上に露出する供給管とを備え、
前記環状パイプは少なくとも一個所が開閉可能になっていると共に、環状パイプの周方向に複数の吐出孔が設けられていることを特徴とする樹木の薬液供給装置。
【請求項２】
前記供給管の一端が分岐され、分岐されたそれぞれの端部に環状パイプの両端が着脱可能に接続されてなる請求項１記載の樹木の薬液供給装置。
【請求項３】
前記供給管の一端と環状パイプの両端が管継手によって着脱可能に接続されてなる請求項２記載の樹木の薬液供給装置。
【請求項４】
前記供給管の他端と薬液貯留タンク内の薬液を圧送ポンプによって送り出す圧送管とが着脱可能である請求項１記載の樹木の薬液供給装置。
【発明の詳細な説明】
【０００１】
【発明の属する技術分野】
本発明は樹木の薬液供給装置に係り、特に地中にある樹木の根の周囲に埋設され、根の周囲に薬液を吐出させるための薬液供給装置に関するものである。
【０００２】
【従来の技術】
従来、この種の薬液供給装置としては、特許文献１に記載のものが知られている。これは、図４及び図５に示したように、樹木１の根２の周囲を取り囲む通路環３と、この通路環３に周方向に所定間隔を置いて結合された複数本の分岐管４と、これら分岐管４に設けられた施肥口５と、前記通路環３に結合される肥料供給管６と、この肥料供給管６の供給口７に接続される液肥注入管８とで構成される。平時には肥料供給管６の供給口７にはキャップを被せておく。
【０００３】
【特許文献１】
特開平８−５１８７７号公報
【０００４】
前記の薬液供給装置は、樹木１の植付けと同時に根２の周囲に埋設し、前記肥料供給管６の供給口７にキャップを被せた状態で地上に露出させておく。そして、樹木１を植えてから所定期間の経過後に、前記供給口７に液肥注入管８を接続し、図示外の液体ポンプから吐出される高圧液を肥料供給管６から通路環３を経て各分岐管４に供給し、これら分岐管４の施肥口５から根２の周りの地中に薬肥を吐き出す。
【０００５】
【発明が解決しようとする課題】
しかしながら、上記従来の薬液供給装置にあっては、通路環３が閉塞されたリング構造であるため、樹木１の植付けと同時に埋設しておく必要があり、植えてから何年も経っているような既に成長した樹木１に対してはこれを利用することができなかった。
【０００６】
また、通路環３の大きさは一定であるために、樹木１の成長に適合しなくなってしまうといった問題があった。
【０００７】
そこで、本発明の目的は、新しく植え付ける樹木に対してだけでなく、既に植えてから何年も経って大きく成長しているような樹木に対しても、樹木の根の周囲に埋設して薬液の供給を行えるようにした樹木の薬液供給装置を提供することである。
【０００８】
また、本発明の他の目的は、樹木の成長に合わせて環の大きさを容易に変えられるようした樹木の薬液供給装置を提供することである。
【０００９】
【課題を解決するための手段】
上記課題を解決するために、本発明の請求項１に係る樹木の薬液供給装置は、樹木の根の周囲に埋設される環状パイプと、この環状パイプに一端が連結され、他端が地上に露出する供給管とを備え、前記環状パイプは少なくとも一個所が開閉可能になっていると共に、環状パイプの周方向に複数の吐出孔が設けられていることを特徴とするものである。
【００１０】
この発明によれば、環状パイプが開閉可能となっているので、既に植えてある樹木に対しても、環状パイプを開放し、樹木の根の周囲に回し込んだ後に再び環状パイプを閉じることで埋設が可能となる。
【００１１】
また、本発明では、環状パイプの両端を供給管の一端に管継手などによって着脱可能に設けることによって、樹木の成長に合わせた環状パイプの取り替えが可能となる。
【００１２】
【発明の実施の形態】
以下、添付図面に基づいて本発明に係る薬液供給装置の実施形態を詳細に説明する。ここで、図１は本発明に係る薬液供給装置の全体形状を示す斜視図、図２は薬液供給装置を樹木の根の周囲に埋設した時の断面図、図３は薬液供給装置の吐出孔付近を拡大した断面図である。
【００１３】
図１及び図２に示されるように、この実施形態に係る薬液供給装置１０は、樹木１の根２の周囲に埋設される環状パイプ１２と、この環状パイプ１２に一端が連結された供給管１３とを備える。これらの環状パイプ１２及び供給管１３は、ポリエチレンを材料とする軟質性の二層管で形成されており、耐候性、耐薬品性、耐水圧性、耐衝撃性などに優れる。
【００１４】
図１に示したように、前記環状パイプ１２と供給管１３とは、管継手１４によって接続されている。具体的には供給管１３の下端にＴ字型の管継手１４を固定しておき、左右の分岐端部に環状パイプ１２の両端を着脱可能に連結する構造である。管継手１４と環状パイプ１２との接続は環状パイプ１２の両端部に取り付けたユニオンナット１５の締め付けによって行われる。樹木１の根２の大きさに合わせて環状パイプ１２の大きさを選択し、環状パイプ１２の両端部を管継手１４に連結することで、図１に示したような環を形成する。新たに植える樹木１と一緒に埋設する場合には、図１に示したように、環状パイプ１２の両端を閉じた状態で設置することができる一方、既に植えてある樹木１の根２の周囲に埋設するときには、環状パイプ１２の少なくとも一端を外しておき、樹木１の根２の周囲に回し込んだのちに管継手１４に連結して環を形成する。また、樹木１の成長に伴って環状パイプ１２の大きさが適合しなくなった場合には、図１に仮想線で示したように、環状パイプ１２の両端を管継手１４から外し、樹木１の成長に合わせて現状より長い環状パイプを利用することができる。
【００１５】
前記環状パイプ１２にはその周方向に多数の吐出孔が所定間隔ごとに設けられている。これらの吐出孔は、環状パイプ１２の内周側に開設される吐出孔１６ａと、外周側に開設される吐出孔１６ｂとが周方向に沿って交互に設けられている。また、全ての吐出孔１６ａ，１６ｂは、図１及び図３に示したように、所定の角度で下向きに開設されているため、これら吐出孔１６ａ，１６ｂから薬液を吐出させた時に目詰まりすることなく、且つ環状パイプ１２の周辺から広範囲に供給することができる。なお、図１に示したように、吐出孔１６ａ，１６ｂを環状パイプ１２の全周に均等に設けることで、樹木１の根２の周囲に薬液を均一に供給することができるが、樹木の種類や植える場所に制約を受けるような条件の下では、必ずしも均等に設けてなくてもよい。
【００１６】
一方、環状パイプ１２から上方に延びる供給管１３は、図２に示したように、埋設される深さに対応した長さに調整され、その上端部が地上に突出している。そして、この上端部には、薬液貯留タンク１７や圧送ポンプ１８から延びる圧送管１９の先端部が着脱可能に接続される。この実施形態では、供給管１３の上端部と圧送管１９の先端部とが管継手２０に連結される構成を採っており、この管継手２０の着脱によって所定の樹木に薬液を供給することができる。したがって、多数ある樹木の各々に上述した薬液供給装置１０を埋設しておけば、施薬を必要とする樹木に対してのみ管継手２０で簡単に圧送管１７を接続して、薬液を供給することができる。なお、この実施形態では、図１に示したように、供給管１３の上端部に管継手２０のユニオンナット２１が取り付けられている。
【００１７】
薬液貯留タンク１７内の薬液は、圧送ポンプ１８内に吹き込まれたエアーと一緒に圧送管１９内に送り出され、供給管１３を通って環状パイプ１２に送り込まれる。そして、供給管１３の下端部で左右に分かれた薬液が環状パイプ１２内に送り込まれ、勢いを保持したまま全ての吐出孔１６ａ，１６ｂから地中に吐出される。地中には薬液が霧状となって吐出されると共に、薬液と一緒にエアーも土中に供給することができる。吐出量は、環状パイプ１２の大きさやパイプ径、圧送ポンプ１８による圧送量などによって異なるので、予め調整しておく。この実施形態では環状パイプ１２に開設した吐出孔１６ａ，１６ｂから直接に薬液を吐出させているが、吐出孔１６ａ，１６ｂにノズル（図示せず）を取り付けることによって、さらに勢いを持たせて吐出させることもできる。なお、この実施形態では薬液貯留タンク１７と圧送ポンプ１８とを別々に構成しているが、例えば、薬液貯留タンク１７、圧送ポンプ１８及び電源をコンパクトに一体化したポータブル型の装置であってもよい。このようなポータブル型装置を用いることで、薬液供給装置１０の機動性を向上させることができる。これにより、大掛かりな圧送手段を用いることが困難な場所での施薬作業、例えば山中に既に植えられている樹木に薬液を供給する場合などにも好適に使用することができる。
【００１８】
環状パイプ１２の埋設位置は特に限定されるものではないが、例えば、新しい樹木の植付けと同時に埋設する場合には、図２に示したように、樹木１の根２の下端部と略同じ水平方向の位置、又はそれよりやや下方位置に、根２を取り囲むように埋設するのが好ましい。そうすることで、環状パイプ１２を水平に保った状態で設置し易くなり、薬液を根２の周りに均一に供給することができる。また、霧状の薬液を環状パイプ１２の各吐出孔１６ａ，１６ｂから下方側に向けて吐出させることで、吐出孔１６ａ，１６ｂが目詰まりすることなく、根２の周辺全体に浸透させることができる。一方、既に植えてある樹木に対して埋設する場合には、上記のように環状パイプ１２を地中の深い位置に埋設しなくてもよい。環状パイプ１２を根２の上部周囲に設置するだけでも薬液効果を十分に得ることができる。
【００１９】
本発明における薬液は、追肥のための液体肥料のみならず、病害虫の駆除剤や予防剤なども含まれる他、主に日照りの時などに供給する水もその概念に含まれる。また、上記の実施形態では環状パイプ１２の開閉が供給管１３との接続部において可能となっているが、本発明では供給管１３との接続部とは離れた位置でパイプの一部を開閉可能とすることもできる。
【００２０】
【発明の効果】
以上説明したように、本発明に係る樹木の薬液供給装置によれば、環状パイプを開閉可能としたので、既に植えてある樹木に対しても、環状パイプを開放し、樹木の根の周囲に回し込んだ後に再び環状パイプを閉じることで埋設が可能となり、その利用範囲が広くなる。
【図面の簡単な説明】
【図１】本発明に係る薬液供給装置の全体形状を示す斜視図である。
【図２】本発明の薬液供給装置を樹木の根の周囲に埋設した状態を示す断面図である。
【図３】前記図２におけるＡ部の拡大図である。
【図４】従来の薬液供給装置の一例を示す斜視図である。
【図５】従来の薬液供給装置を樹木の根の周囲に埋設した状態を示す断面図である。
【符号の説明】
１  樹木
２  根
１０  薬液供給装置
１２  環状パイプ
１３  供給管
１４  管継手
１６ａ，１６ｂ  吐出孔
１７  薬液貯留タンク
１８  圧送ポンプ
１９  圧送管
【図１】
2005021088.tif 000003
【図２】
2005021088.tif 000004
【図３】
2005021088.tif 000005
【図４】
2005021088.tif 000006
【図５】
2005021088.tif 000007